(57)【要約】【課題】送風量を大きくすることなく送風管から吐出される薬液を確実に径方向外側に拡散させることで薬液を広範囲に散布することのできるミストブロワを提供する。【解決手段】拡散カバー８０に、送風管６０の端部から吐出される空気および薬液の流れを整える整流フィン８１と、整流フィン８１よりも径方向外側に傾斜するように設けられ、空気および薬液を径方向外側に案内するための拡散フィン８２と、を設けている。これにより、拡散カバー８０の開口率を小さくすることなく、薬液を混入させた空気の一部を拡散フィン８２によって径方向外側に向けて吐出させることができるので、薬液を広範囲に散布するために送風量を大きくする必要はなく、装置の軽量化を図ることが可能となる。【選択図】図２
2013091023.tif 000002
【特許請求の範囲】
【請求項１】
送風機から送出された空気を流通させて先端部から吐出させる送風管を備え、前記送風管を流通する空気に薬液を混合することによって薬液を散布するミストブロワにおいて、
前記送風管の先端部に設けられ、前記送風管から吐出される薬液が混入した空気を径方向外側に拡散させる拡散カバーを備え、
前記拡散カバーには、前記送風管から吐出される薬液が混入した空気の流れを整える整流フィンと、前記整流フィンよりも径方向外側に傾斜するように設けられ、薬液が混入した空気の一部を径方向外側に案内する拡散フィンと、が設けられている
ことを特徴とするミストブロワ。
【請求項２】
前記送風管の先端部の近傍の内部には、ベンチュリ効果によって薬液を空気中に混入させる略円筒形状のベンチュリ部が設けられ、
前記拡散フィンは、前記ベンチュリ部の内面を前記円筒形状に沿って延長した位置に形成されている
ことを特徴とする請求項１に記載のミストブロワ。
【請求項３】
送風機から送出された空気を流通させて先端部から吐出させる送風管を備え、前記送風管を流通する空気に薬液を混合することによって薬液を散布するミストブロワにおいて、
前記送風管の先端部に設けられ、前記送風管から吐出される薬液が混入した空気を径方向外側に拡散させる拡散カバーを備え、
前記拡散カバーの外周部には、径方向に延びる延出部が設けられ、
前記送風管の端部には、前記送風管の端部に前記拡散カバーを当接させながら回転させることによって前記延出部が係合可能であり、前記送風管の端部に前記拡散カバーを着脱自在に係止する係止片が設けられている
ことを特徴とするミストブロワ。
【請求項４】
前記送風管の先端側には、前記拡散カバーの外径寸法よりも大きく形成されたフランジが設けられている
ことを特徴とする請求項３に記載のミストブロワ。
【発明の詳細な説明】
【技術分野】
【０００１】
本発明は、送風管から吐出される空気に農薬等の薬液を混入させることによって薬液を散布するミストブロワに関するものである。
【背景技術】
【０００２】
従来、この種のミストブロワでは、送風機から送出された空気を流通させて端部から吐出させる送風管を備えており、送風管から吐出される空気に農薬等の薬液を混入させることによって薬液を散布するようにしたものが知られている。また、送風管の先端には、送風管から吐出される薬液を混入させた空気を径方向外側に拡散させるための拡散カバーが設けられている（例えば、特許文献１参照）。
【先行技術文献】
【特許文献】
【０００３】
【特許文献１】実開平０３−４７０５３号公報
【発明の概要】
【発明が解決しようとする課題】
【０００４】
前記拡散カバーは、互いに間隔をおいて設けられた複数のフィンを有し、各フィンが拡散カバーの表面に対してそれぞれ所定角度を成している。送風管から吐出される薬液を広範囲に散布するためには、拡散カバーの各フィンを送風管の径方向外側に傾斜させる必要がある。拡散カバーは、各フィンを送風管の径方向外側に傾斜させると開口率が低くなるため、送風管から吐出される薬液を混入させた空気の流通抵抗が大きく、送風管から吐出される空気の流量を大きくしない限り、薬液の飛距離を確保しつつ薬液を広範囲に散布することができない。
また、前記ミストブロワでは、拡散カバーを交換したり、使用状態に応じて拡散カバーを送風管の端部から取り外して使用したりする場合がある。しかし、前記ミストブロワでは、拡散カバーが送風管と一体に構成されており、送風管の端部に対して拡散カバーを着脱することができない。
【０００５】
本発明の目的とするところは、送風量を大きくすることなく送風管から吐出される薬液を混入させた空気を確実に径方向外側に拡散させることで薬液を広範囲に散布することのできるミストブロワを提供することにある。
また、本発明の目的とするところは、拡散カバーの着脱が容易なミストブロワを提供することにある。
【課題を解決するための手段】
【０００６】
本発明は、前記目的を達成するために、送風機から送出された空気を流通させて先端部から吐出させる送風管を備え、前記送風管を流通する空気に薬液を混合することによって薬液を散布するミストブロワにおいて、前記送風管の先端部に設けられ、前記送風管から吐出される薬液が混入した空気を径方向外側に拡散させる拡散カバーを備え、前記拡散カバーには、前記送風管から吐出される薬液が混入した空気の流れを整える整流フィンと、前記整流フィンよりも径方向外側に傾斜するように設けられ、薬液が混入した空気の一部を径方向外側に案内する拡散フィンと、が設けられている。
【０００７】
これにより、薬液を混入させた空気の一部が拡散フィンによって径方向外側に案内されることから、拡散カバーの開口率を小さくすることなく、薬液を混入させた空気の一部が径方向外側に向けて吐出される。
【０００８】
また、前記目的を達成するために、送風機から送出された空気を流通させて先端部から吐出させる送風管を備え、前記送風管を流通する空気に薬液を混合することによって薬液を散布するミストブロワにおいて、前記送風管の先端部に設けられ、前記送風管から吐出される薬液が混入した空気を径方向外側に拡散させる拡散カバーを備え、前記拡散カバーの外周部には、径方向に延びる延出部が設けられ、前記送風管の端部には、前記送風管の端部に前記拡散カバーを当接させながら回転させることによって前記延出部が係合可能であり、前記送風管の端部に前記拡散カバーを着脱自在に係止する係止片が設けられている。
【０００９】
これにより、送風管の端部に拡散カバーを当接させながら回転させることによって延出部が係止片に係合することから、拡散カバーを回転させることによって送風管に対して拡散カバーが着脱される。
【発明の効果】
【００１０】
本発明によれば、拡散カバーの開口率を小さくすることなく、拡散フィンによって一部の空気および薬液を径方向外側に向けて吐出させることができるので、薬液を広範囲に散布するために送風量を大きくする必要はなく、装置の軽量化を図ることが可能となる。
また、拡散カバーを回転させることによって送風管に対して拡散カバーを着脱できるので、拡散カバーの交換作業や拡散カバーを取り外して使用する作業の作業効率を向上させることが可能となる。
【図面の簡単な説明】
【００１１】
【図１】本発明の一実施形態を示すミストブロワの斜視図である。
【図２】送風管の要部断面図である。
【図３】拡散カバーの正面図である。
【図４】図３のＡ−Ａ´断面図である。
【図５】送風管に対して拡散カバーを取り付ける方法を示す図である。
【発明を実施するための形態】
【００１２】
図１乃至図５は、本発明の一実施形態を示すものである。
【００１３】
本発明のミストブロワ１０は、使用者が背負いながら薬液等の液体を散布する作業を行うものである。
【００１４】
このミストブロワ１０は、図１に示すように、前面側に位置する液タンク２０と、液タンク２０に取り付けられ、液タンク２０の下面側から後方に延びるフレーム３０と、フレーム３０の後側に位置するエンジン４０と、液タンク２０とエンジン４０との間に配置された送風機５０と、送風機５０の右側面から前方に延びる送風管６０と、を備えている。
【００１５】
液タンク２０は、上下方向に延びる中空状に形成されており、内部に散布用の薬液が貯蔵される。液タンク２０の前面には背当部２１が設けられ、背当部２１には使用者がミストブロワ１０を背負う際に肩に掛ける肩ベルト２２が設けられている。
【００１６】
フレーム３０は、管状の部材を屈曲することによって、液タンク２０の左右両側を上下方向に延びるとともに、それぞれの下端側から後方に延びるように形成されている。フレーム３０の幅方向両側を後方に延びる部分には、板状の部材が架け渡されており、その上にエンジン４０および送風機５０が取り付けられる。
【００１７】
エンジン４０は、４ストローク式のエンジンであり、送風機５０を駆動する動力源となる。
【００１８】
送風機５０は、回転軸がエンジン４０に連結された遠心ファンであり、右側面に送風管６０が接続されている。また、送風機５０には、液タンク２０内を加圧するための加圧管５１の一端が接続され、加圧管５１の他端が液タンク２０の上部側に接続されている。
【００１９】
送風管６０は、円筒形状の部材からなり、可撓性を有する蛇腹管６１を介して送風機５０に接続されている。送風管６０には、外周部から上方に延びるように設けられ、使用者が右手で把持するためのハンドル６２が設けられている。ハンドル６２の上部には、ハンドル６２を把持した手で操作可能なスロットルレバー６２ａが設けられ、スロットルレバー６２ａの操作によってエンジン４０の回転数が調整可能である。
【００２０】
送風管６０の先端側には、送風管６０を流通する空気に薬液を混入させるための混合部７０が先端部から間隔をおいて設けられている。
【００２１】
混合部７０は、図２に示すように、薬液を送風管６０の外側から内側に流入させるための薬液流路７１と、薬液流路７１の下流側に設けられ、ベンチュリ効果によって薬液流路７１を流通する薬液を空気に混入させるためのベンチュリ部７２と、を有している。
【００２２】
薬液流路７１は、送風管６０の外周部から径方向中央部まで延びるとともに、屈曲して送風管６０の先端側に向かって延びている。送風管６０内に位置する薬液流路７１の流出側の端部には、薬液を送風管６０内に噴霧するためのノズル７１ａが設けられている。また、薬液流路７１の流入側には、薬液流路７１を開閉するコック７１ｂが設けられている。さらに、薬液流路７１の流入側の端部には、液タンク２０内の薬液を薬液流路７１に流入させるための送液管７１ｃが接続されている。送液管７１ｃには、図１に示すように、薬液の流路を開閉するための流路開閉弁７１ｄが設けられている。
【００２３】
ベンチュリ部７２は、図２に示すように、送風管６０内において送風管６０と同一の方向に延びる略円筒形状に形成されている。ベンチュリ部７２は、外径寸法が送風管６０の内径寸法よりも小さく形成され、送風管６０の径方向略中央部に配置されている。ベンチュリ部７２には、内径寸法が他の部分の内径寸法よりも小さく形成された縮径部７２ａが設けられ、縮径部７２ａから基端側および先端側のそれぞれに向かって漸次内径寸法が大きく形成されている。ベンチュリ部７２の縮径部７２ａの径方向略中央部には、薬液流路７１の流出側の端部が位置している。ここで、ベンチュリ部７２を略円筒形状としているが、略円筒形状のベンチュリ部７２には、例えば、下流側に向かって外径寸法が漸次大きくなる円錐台形の筒状に形成するものも含まれる。
【００２４】
また、送風管６０の先端には、混合部７０において薬液を混入させた空気を送風管６０から吐出させる際に送風管６０の径方向外側に拡散させるための拡散カバー８０が設けられている。
【００２５】
拡散カバー８０は、図２に示すように、送風管６０の先端部の開口から空気の吐出方向に張り出すドーム形状の部材からなる。拡散カバー８０は、図３に示すように、互いに同心円状に配置されたリング形状の複数の整流フィン８１と、ベンチュリ部７２の先端部側からベンチュリ部７２の内面を延長した位置（図２の二点鎖線）に対応する部分に沿ってリング状に形成された拡散フィン８２と、径方向中央部からそれぞれ径方向外側に延びるように設けられ、各整流フィン８１および拡散フィン８２を連結する複数の連結部８３と、を有している。
【００２６】
各整流フィン８１は、図４に示すように、拡散カバー８０の表面に対してそれぞれ同じ角度をなすように所定角度径方向外側に傾斜している。また、拡散フィン８２は、拡散カバー８０の表面に対して各整流フィン８１のなす傾斜角度よりも大きく径方向外側に傾斜している。
【００２７】
拡散カバー８０の外周部には、互いに周方向に間隔をおいて径方向内側に延びるように設けられた複数の延出部８４が設けられている。延出部８４は、拡散カバー８０の周方向一方に向かって厚さ寸法が大きくなるように形成されている。延出部８４は、送風管６０の先端部に対して、拡散カバー８０の外周部を当接させながら拡散カバー８０を周方向他方に回転させることによって、送風管６０の先端部に設けられた係止片６３に係合する。また、拡散カバー８０の外周面には、使用者が指を掛けることが可能なように凹状に設けられた複数の把持部８５が互いに周方向に間隔をおいて設けられている。
【００２８】
また、送風管６０の係止片６３の基端側には、周方向に連続して径方向外側に延びるフランジ６４が形成されている。フランジ６４の外径寸法は、拡散カバー８０の外径寸法よりも大きく形成されている。
【００２９】
以上のように構成されたミストブロワでは、エンジン４０の動力によって送風機５０を駆動させると、送風機５０の周囲の空気を吸入し、吸入した空気を送風管６０内に流通させて送風管６０の先端から吐出する。送風管６０の先端から吐出される空気の風量は、スロットルレバー６２ａの操作によって調整可能である。この状態で、流路開閉弁７１ｄを操作して薬液流路７１を開放すると、液タンク２０内の薬液が、混合部７０において送風管６０を流通する空気と混合され、空気と共に送風管６０の先端から吐出される。
【００３０】
このとき、送風管６０の先端側を流通する空気は、一部がベンチュリ部７２の内周部に流入する。ベンチュリ部７２の内周部に流入した空気は、縮径部７２ａにおいて流速が上昇すると共に圧力が低下する。これにより、薬液流路７１内の薬液は、縮径部７２ａに位置するノズル７１ａから吸引されてベンチュリ部７２において空気と混合され、送風管６０の先端から吐出される。
【００３１】
また、送風管６０の先端から吐出される薬液を混入させた空気は、拡散カバー８０によって吐出方向が方向付けられる。送風管６０の先端から吐出される空気および薬液は、大部分が各整流フィン８１によって拡散カバー８０の表面に対して所定角度径方向外側に案内される。また、ベンチュリ部７２の内周部の外周側を流通する薬液を混入させた空気は、ベンチュリ部７２の内面に沿って流通し、拡散フィン８２によって各整流フィン８１よりも大きく径方向外側に案内される。これにより、薬液を混合させた空気の中で最外周側の空気が拡散フィン８２によって径方向外側に案内されることから、送風管６０の先端から吐出される薬液が広範囲に散布される。
【００３２】
また、拡散カバー８０は、図５に示すように、送風管６０の端部に外周部を当接させた後に回転させて延出部８４を係止片６３に係合させることにより、送風管６０に取り付けられる。拡散カバー８０は、送風管６０に対して回転させることにより、係止片６３に対する延出部８４の係合と係合の解除とが切り換えられる。これにより、拡散カバー８０は、必要に応じて送風管６０に対して着脱可能である。
【００３３】
このように、本実施形態のミストブロワによれば、拡散カバー８０に、送風管６０の端部から吐出される空気および薬液の流れを整える整流フィン８１と、整流フィン８１よりも径方向外側に傾斜するように設けられ、空気および薬液を径方向外側に案内するための拡散フィン８２と、を設けている。これにより、拡散カバー８０の開口率を小さくすることなく、薬液を混入させた空気の一部を拡散フィン８２によって径方向外側に向けて吐出させることができるので、薬液を広範囲に散布するために送風量を大きくする必要はなく、装置の軽量化を図ることが可能となる。
【００３４】
また、拡散フィン８２は、拡散カバー８０のベンチュリ部７２の先端部側から内面を延長した位置に対応する部分に沿ってリング状に形成されている。これにより、ベンチュリ部７２の内周部の外周側を流通する薬液を混入させた空気を送風管６０の径方向外側に吐出させることが可能となるので、送風管６０の径方向中央部から径方向外側までの広範囲に確実に薬液を散布することが可能となる。
【００３５】
また、拡散カバー８０の外周部には、径方向内側に延出する延出部８４が設けられ、送風管６０の端部には、送風管６０の端部に拡散カバー８０を当接させながら回転させることによって延出部８４が係合可能であり、送風管６０の端部に拡散カバー８０を着脱自在に係止する係止片６３が外側に延びるように設けられている。これにより、送風管６０に対して拡散カバー８０を確実に取り付けることが可能となるので、送風管６０に取り付けられた拡散カバー８０が他の物に接触して不用意に外れることを防止できる。また、送風管６０に取り付けられた拡散カバー８０の取り外しが容易なので、拡散カバー８０の交換作業や拡散カバー８０を取り外して使用する作業の作業効率を向上させることが可能となる。
【００３６】
また、送風管６０の先端側には、拡散カバー８０の外径寸法よりも大きく形成されたフランジ６４が設けられている。これにより、送風管６０の先端が他の物に接触する場合に、フランジ６４を接触させることができるので、拡散カバー８０が直に他の物に接触して送風管６０から拡散カバー８０が脱落することを防止することが可能となる。
【００３７】
尚、前記実施形態では、拡散カバー８０に１つの拡散フィン８２を設けているものを示したが、これに限られるものではない。例えば、ベンチュリ部７２の先端部側からベンチュリ部７２の内面を延長した位置に対応する部分であれば、拡散カバー８０に複数の拡散フィンを設けるようにしてもよい。
【００３８】
また、前記実施形態では、送風管６０の径方向略中央部にベンチュリ部７２を設けるとともに、拡散カバー８０の径方向略中央部を中心としてリング状の拡散フィン８２を形成したものを示したが、これに限られるものではない。例えば、ベンチュリ部７２および拡散フィン８２は、互いに対応する位置であれば、送風管６０および拡散カバー８０の中心から外れた位置に設けられていてもよい。
【００３９】
また、前記実施形態では、延出部８４を拡散カバー８０の外周部から径方向内側に延びるように形成したものを示したが、これに限られるものではない。例えば、延出部を拡散カバー８０の外周部から径方向外側に延びるように形成し、径方向外側に延びる延出部と係合可能な係止片を送風管６０に設けるようにしてもよい。
【符号の説明】
【００４０】
１０…ミストブロワ、６０…送風管、６３…係止片、６４…フランジ、７０…混合部、７１…薬液流路、７２…ベンチュリ部、８０…拡散カバー、８１…整流フィン、８２…拡散フィン、８４…延出部。
【図１】
2013091023.tif 000003
【図２】
2013091023.tif 000004
【図３】
2013091023.tif 000005
【図４】
2013091023.tif 000006
【図５】
2013091023.tif 000007